(57)【要約】【課題】本発明は磁器ディスク装置の障害解析を円滑に行うため、システム装置の磁気ディスクＩ／Ｆバス伝送路に影響を与えずにバスモニタを行う手段を提供する。【解決手段】磁気ディスク装置の中にＳＣＳＩコントローラ、ＣＰＵ、モニタデータ格納用ディスク等で構成されるバスモニタ機能を設けることで磁気ディスクＩ／Ｆバス上に新たにバスモニタを追加することがなく装置の磁気ディスクＩ／Ｆバス伝送路に影響を与えずにバスモニタを行うことができる。【効果】磁気ディスク装置Ｉ／Ｆ障害が発生した場合の障害解析を円滑に行うことが可能となる。【選択図】  図２
2004355298.tif 000002
【特許請求の範囲】
【請求項１】
リード／ライト可能なデータエリアとバスモニタデータを格納するエリアを設けたことを特徴とする磁気ディスク装置。
【請求項２】
請求項１の磁気ディスク装置に通信用Ｉ／Ｆを設けることでバスモニタ機能の設定及びバスモニタデータをリードを行えることを特徴とした磁気ディスク装置。
【請求項３】
請求項１の磁気ディスク装置に２つの電源供給手段を設けることでリード／ライト可能なデータエリアとバスモニタデータを格納するエリア独立して動作させることを特徴とした磁気ディスク装置。
【発明の詳細な説明】
【０００１】
【発明の属する技術分野】
本発明は磁気ディスク装置Ｉ／Ｆバスの動作をモニタする方法に関係し、特に磁気ディスク装置のＩ／Ｆバス伝送路に影響を与えずにモニタを行える磁気ディスク装置に関する。
【０００２】
【従来の技術】
従来のＳＣＳＩバスモニタ装置は、特開平７−３１９８０４号公報のように磁気ディスクのＳＣＳＩバス上に負荷の１つとしてバスモニタが追加されたが、本発明ではシステム装置内の磁気ディスク装置と本発明のバスモニタ機能付磁気ディスク装置に交換することでＳＣＳＩバス上に余分な負荷を追加することなくＳＣＳＩバスのモニタが可能となる。
【０００３】
【特許文献１】
特開平７−３１９８０４号公報
【０００４】
【発明が解決しようとする課題】
上記従来技術は磁気ディスク装置ＳＣＳＩバスのモニタを行う場合にＳＣＳＩバス伝送路の負荷及び、伝送路の構成という点に配慮がなされておらず、障害が発生するシステム装置のＳＣＳＩバス上にバスモニタを追加すると伝送路に影響を与え信号波形が変化する為、正確なバス動作がモニタできない場合があった。特に転送速度がＦＡＳＴ−１６０になって信号波形が高速化するにつれて負荷がＳＣＳＩバス伝送路に与える影響度が大きくなっている。今後はさらに高速なＦＡＳＴ−３２０になればさらに負荷がＳＣＳＩバス伝送路に与える影響が大きくなると考えられる。
【０００５】
本発明の目的は、システム装置の磁気ディスク装置Ｉ／Ｆバス伝送路に影響を与えないで磁気ディスク装置Ｉ／Ｆバスモニタを行えるようにすることにある。
【０００６】
本発明の他の目的は磁気ディスク装置に通信用Ｉ／Ｆを設けることで磁気ディスク装置が接続されているシステム装置の構成を変更することなしに、磁気ディスク装置Ｉ／Ｆバスバスモニタ機能の設定を行ったり、バスモニタデータを取り出すことができることにある。また、２つの電源供給手段を設けることでリード／ライト可能なデータエリアとバスモニタデータを格納するエリア独立して動作させることにある。
【０００７】
【課題を解決するための手段】
上記目的を達成する為には、磁気ディスク装置にバスモニタ用のＳＣＳＩコントローラ、ＣＰＵ、レジスタ、制御用Ｆ／Ｗを備え持つことでバスモニタ機能を構成する。また、磁気ディスクをデータＲ／Ｗエリアとバスモニタデータ格納エリアに分けて制御を行なうことで独立して動作可能とする。
【０００８】
【発明の実施の形態】
以下本発明の実施形態について図面を用いて説明する。図１は本実施形態のＨＤＤ（磁気ディスク装置）をＳＣＳＩ（スモール  コンピュータ  システム  インタフェース）にした時の構成を示すブロック図である。ＳＣＳＩボード１０１、ＳＣＳＩケーブル１０３、ＨＤＤプラッタ１０２、ＨＤＤ１０４、１０５で構成される。従来はＳＣＳＩケーブル１０２にバスモニタを接続するためのＳＣＳＩコネクタを追加してケーブルに変更して接続していた。本発明ではＨＤＤ内部にモニタ機能を設けたため、図１に示すようなＨＤＤプラッタ１０２を使用した構成でも構成を変更することなしにバスの状態をモニタ可能となる。また、モニタ自身もＨＤＤとしてデータのＲ／Ｗ機能を有しているのでＨＤＤ障害が発生した時の構成状態でバスの状態が解析可能である。
【０００９】
図２に本発明のＨＤＤの内部ブロック図を示す。
【００１０】
本発明のＨＤＤはＳＷ２０４を切り替えることでＨＤＤ機能制御とバスモニタ機能制御が切替られる。ＳＷ２０４を５Ｖ側にするとＨＤＤ機能が有効になりＳＣＳＩコントローラ２０２のリセット回路が解除されＥＥＰＲＯＭ２０３内のＨＤＤ制御用Ｆ／Ｗに従いＣＰＵ２０１の制御でＳＣＳＩボード１０１からのＳＣＳＩコマンド命令によりＨＤＤ  Ｒ／Ｗ用ディスク２０６にアクセスすることができる。また、ＣＰＵ２０８はＥＥＰＲＯＭ２０３内のバスモニタ制御Ｆ／Ｗとモニタ設定レジスタ２０８の設定内容に従いＳＣＳＩコントローラ２１０からＳＣＳＩバスの状態をモニタしモニタデータＲ／Ｗ用ディスクにモニタデータを書き込む。この時ＳＣＳＩコントローラ２１０はＳＣＳＩボード１０１からのＳＣＳＩコマンド命令には応答しない制御がＣＰＵ２０８によって行われる。
【００１１】
ＳＷ２０４がＧＮＤ側に設定されるとＳＣＳＩコントローラ２０２とＣＰＵ２０１がリセット状態になり動作しなくなりＨＤＤ制御機能を無効にする。バスモニタ機能はＳＣＳＩボード１０１からのＳＣＳＩコマンド命令によりＳＣＳＩコントローラ２１０をＣＰＵ２０１で制御してモニタ設定レジスタ２０９にトリガ条件等モニタの設定を行う。また、リードコマンドによりモニタデータＲ／Ｗ用ディスクのデータを読み出すことが可能となる。
【００１２】
ＨＤＤ  Ｒ／Ｗ用ディスク２０６とモニタＲ／Ｗ用ディスク２０７に分けることで同時に両データの書き込み、読み出しが可能となっている。
【００１３】
また、通信用ＲＳ−２３２Ｃ  Ｉ／Ｆ制御回路２１３を使用し、ＲＳ−２３２Ｃコネクタ２１４とＰＣ（ターミナル端末）１０７を接続することでＳＷを５Ｖ側にしていてもＳＣＳＩ  Ｉ／Ｆを使用せずにモニタ設定レジスタ２０９の変更、モニタＲ／Ｗ用ディスクからデータの読み出しが可能となり、ＨＤＤが機能しながらモニタデータの表示及びモニタの各種設定条件の変更が可能となる。これにより、ＳＣＳＩ  Ｉ／Ｆと独立してモニタ機能の操作することができるようになる。
【００１４】
図２に示すように外部電源コネクタ２１２を設けることで、通常ＳＣＳＩコネクタ（ＳＣＡ）２１１から供給される電源がＯＦＦされても外部電源コネクタ２１２からの電源供給があるのでモニタ機能は動作可能となり、システム装置の電源ＯＮ／ＯＦＦ動作に依存せずにバスの状態をモニタ監視ができる。
【００１５】
【発明の効果】
以上本発明によれば、磁気ディスク装置内のバスモニタ機能により磁気ディスク装置Ｉ／Ｆバス上に負荷を増やすことなく、バスのモニタを行うことができるので磁気ディスク装置Ｉ／Ｆバスの障害が発生した場合に伝送経路を変えることなく障害解析することができる効果がある。
【図面の簡単な説明】
【図１】本発明による磁気ディスク装置を説明する為のブロック図である。
【図２】本発明による磁気ディスク装置の内部構成を説明する為のブロック図である。
【符号の説明】
１０１…ＳＣＳＩボード、１０２…ＨＤＤプラッタ、１０３…ＳＣＳＩケーブル、１０４…ＨＤＤ、１０５…ＨＤＤ、１０６…ＡＣアダプタ、１０７…ＰＣ、２０１…ＣＰＵ、２０２…ＳＣＳＩコントローラ、２０３…ＥＥＰＲＯＭ、２０４…ＳＷ、２０５…ＨＤＤ  ｒ／ｗ制御回路、２０６…ＨＤＤ  Ｒ／Ｗ用ディスク、２０７…モニタデータ  Ｒ／Ｗ用ディスク、２０８…ＣＰＵ、２０９…モニタ設定用レジスタ、２１０…ＳＣＳＩコントローラ、２１１…ＳＣＳＩコネクタ、２１２…外部電源コネクタ、２１３…ＲＳ−２３２Ｃ  Ｉ／Ｆ制御回路、２１４…ＲＳ−２３２Ｃコネクタ。
【図１】
2004355298.tif 000003
【図２】
2004355298.tif 000004